(57)【特許請求の範囲】
【請求項１】
光源からの光ビームを回折してメインビームとこのメインビームより時間的に後方に位置するサブビームとを出射する光学ヘッドを備え、前記メインビームによってディスクへの記録を行う光ディスク記録装置であって、前記サブビームのディスクでの反射光に基づく受光出力をそれぞれ異なるゲインにより増幅する第１アンプ及び第２アンプによりレベル調整回路を構成すると共に、ディスクへの記録状態において、前記第１アンプ及び前記第２アンプからそれぞれ出力される出力信号を光学ヘッドの発光出力が記録レベルになる記録レベル期間と光学ヘッドの発光出力が記録休止レベルになる記録休止レベル期間とでそれぞれ切り換える選択回路を設け、前記選択回路により選択されるレベル調整回路から出力される出力信号のレベル差を光学ヘッドの発光出力の記録レベルと記録休止レベルとで解消し、前記レベル調整回路によりレベル調整された出力信号を用いて前記サブビームにより前記メインビームで記録されたデータ信号を読み取るようにしたことを特徴とする光ディスク記録装置。
【請求項２】
光源からの光ビームを回折してメインビームとこのメインビームより時間的に後方に位置するサブビームとを出射する光学ヘッドを備え、前記メインビームによってディスクへの記録を行うと共に、ディスクへの記録が可能な記録速度が切り換え可能な光ディスク記録装置において、ディスクへの記録状態において、前記サブビームのディスクでの反射光に基づく受光出力を光学ヘッドの発光出力の記録レベルと記録休止レベルとでレベル差を解消するべくレベル調整回路によりレベル調整し、このレベル調整後の受光出力を用いて前記サブビームにより前記メインビームで記録されたデータ信号を読み取り、この読み取ったデータ信号を用いてディスクに記録されるデータ信号のジッタ量を検出し、この検出されたジッタ量に基づいて記録速度を切り換えることを特徴とする光ディスク記録装置。
【請求項３】
検出されるジッタ量があらかじめ設定した許容範囲外であることが検出されると、その都度記録速度を徐徐に落として記録を行うことを特徴とする請求項２記載の光ディスク記録装置。
【請求項４】
前記メインビームを回折光の０次ビームとし、この０次ビームと回折光の±１次ビームを使用してトラッキング制御に差動プッシュプル法を採用し、前記±１次ビームをそれぞれ受光する各サブ受光領域が２分割された光検出器を有する光学ヘッドを備えた光ディスク記録装置において、前記サブ受光領域のうち、時間的に後方に位置するサブビームから得られる反射光を受光するサブ受光領域の２分割された一方の分割領域から出力される受光出力を用いてディスクからデータ信号を読み取ることを特徴とする請求項１記載の光ディスク記録装置。
【発明の詳細な説明】
【０００１】
【発明の属する技術分野】
本発明は、光源からの光ビームを回折してメインビームとこのメインビームより時間的に後方に位置するサブビームとを出射する光学ヘッドを用い、前記サブビームからメインビームにより記録されたデータ信号を読み取るようにした光ディスク記録装置に関する。
【０００２】
【従来の技術】
光学ヘッドからの光ビームを用いてディスクにデジタルのデータ信号を記録する光ディスク記録装置としては、ＣＤ（Compact Disc）ファミリーのＣＤ−Ｒ（Recordable）及びＣＤ−ＲＷ（ReWritable）に対応するＣＤ−Ｒ／ＲＷドライブが良く知られている。
【０００３】
このような光ディスク記録装置により記録されるディスクは、材質の違いにより製造メーカーによる記録感度差を有していたり、バラツキにより個体差による記録感度差を有していたり、あるいはムラにより同一ディスク内での記録感度差を有している。
【０００４】
その為、光ディスク記録装置においては、記録時に光学ヘッドから出射される発光出力がそれらの記録感度差を補償するべく制御し、光学ヘッドの発光出力をディスクの記録に最適な最適記録レベルに設定する必要がある。
【０００５】
この光学ヘッドの発光出力の設定は、主に、ディスクから読み取られるＨＦ信号のピーク値及びボトム値を用いてβ値（記録の深さ）を検出して行われる。
【０００６】
ＣＤ−Ｒにおいては、記録速度を定格速度の二十数倍にまで高速化が図られているので、記録条件を厳密に設定する必要があり、ディスク記録の動作中において、ディスクに記録された記録信号の記録状態を検出して光学ヘッドの発光出力を制御する、いわゆるランニングＯＰＣ（Optimum  Power  Control）を行う必要が生じる。
【０００７】
また、前述のように光学ヘッドの発光出力を記録速度に応じてディスクの記録に最適な最適記録レベルに設定しても、設定した記録速度に対応していないディスクや品質不良のディスクの場合、記録を終えたディスクから読み取られるＨＦ信号（高周波信号）のジッタ量が多くて再生が行えずにディスク記録を失敗する事態が発生する。
【０００８】
その為、ディスク記録の動作中において、前記ＨＦ信号のジッタ量がディスク再生に支障を来たすか否かを判断するためにこのジッタ量を検出することが行われる。
【０００９】
【発明が解決しようとする課題】
ところで、前述のランニングＯＰＣ及びジッタ量検出を行うには、ディスクに記録された記録信号の記録状態を検出する必要があるが、記録動作中に実際の記録信号の記録状態を検出するのは困難である。
【００１０】
ランニングＯＰＣを実行するためには、記録信号を記録する記録パルスの反射レベルを検出して記録状態を検出する方法が実施されているが、これは記録状態を実際に検出しているのではないので、設定される光学ヘッドの発光出力が実際の最適記録レベルに合っていない問題があったし、また、ジッタ量検出は行えない。
【００１１】
その為、光学ヘッドからディスクに照射される光ビームとして記録に実際に用いられるメインビームの他に時間的に後方に位置するサブビームを形成し、このサブビームにより前記メインビームにより記録されたデータ信号を読み取ってディスクの記録状態を検出することが考えられる。
【００１２】
ところで、光ディスク記録装置の場合、一般にトラッキング制御に差動プッシュプル法を採用し、光学ヘッドの回折光の０次ビームをディスクの記録及び再生を行うメインビームに使用し、回折光の±１次ビームをトラッキング制御用の先行及び後方の各サブビームとして使用している。
【００１３】
その為、ディスクに記録するデータ信号に対応する記録マークを記録するために光学ヘッドの発光出力を記録レベルと記録休止レベル（例えば再生レベル）とで変化させると、ディスク記録を行うメインビームだけではなく、同時にサブビームも記録レベルと記録休止レベルとに応じた光量に変化する。
【００１４】
したがって、ディスクの記録状態において、時間的に後方のサブビームからディスクに記録されたデータ信号を読み取ると、その読み取ったデータ信号（ＨＦ信号）が光学ヘッドの発光出力の変化によって大きくレベルが乱されることにより、ディスクの記録状態を検出することが出来なかった。
【００１５】
【課題を解決するための手段】
請求項１に係る発明は、回折により形成されるメインビームより時間的に後方のサブビームにおけるディスクでの反射光に基づく受光出力をそれぞれ異なるゲインにより増幅する第１アンプ及び第２アンプによりレベル調整回路を構成すると共に、ディスクへの記録状態において、前記第１アンプ及び前記第２アンプからそれぞれ出力される出力信号を光学ヘッドの発光出力が記録レベルになる記録レベル期間と光学ヘッドの発光出力が記録休止レベルになる記録休止レベル期間とでそれぞれ切り換える選択回路を設け、前記選択回路により選択されるレベル調整回路から出力される出力信号のレベル差を光学ヘッドの発光出力の記録レベルと記録休止レベルとで解消し、前記レベル調整回路によりレベル調整された出力信号を用いて前記サブビームにより前記メインビームで記録されたデータ信号を読み取るようにしている。
請求項２に係る発明は、ディスクへの記録状態において、サブビームのディスクでの反射光に基づく受光出力を光学ヘッドの発光出力の記録レベルと記録休止レベルとでレベル差を解消するべくレベル調整回路によりレベル調整し、このレベル調整後の受光出力を用いて前記サブビームによりメインビームで記録されたデータ信号を読み取り、この読み取ったデータ信号を用いてディスクに記録されるデータ信号のジッタ量を検出し、この検出されたジッタ量に基づいて記録速度を切り換えるようにしている。
【００１６】
【実施例】
図１は本発明に係る光ディスク記録装置の一例を示すＣＤ−Ｒ／ＲWドライブの回路ブロック図である。
【００１７】
図１において、１はディスクの信号トラックをトレースするレーザービームを出射し、ディスクに対してデータ信号の書き込み及び読み取りを行う光学ヘッドである。
【００１８】
前記光学ヘッド１は、回折格子（図示せず）によりレーザー光源（図示せず）から出射されるレーザービームを回折してデータ信号の書き込みを行うメインビームとなる回折光の０次ビームの他に、サブビームとなる回折光の±１次ビームをディスクに照射し、図２に示す如く、メインビームが照射されてメイン光スポットＳｍが形成され、各サブビームが照射されて各サブ光スポットＳｓ１及びＳｓ２が形成される。
【００１９】
これらの各サブ光スポットＳｓ１及びＳｓ２は、メイン光スポットＳｍがディスクの信号トラックｎ上に正しく配置される状態において、ディスクの外周側のサブ光スポットＳｓ１が内周側の半分を信号トラックｎに、外側側の半分を信号トラックｎと外周側の隣接信号トラック（ｎ＋１）との間にそれぞれ投影されるように配置され、ディスクの内周側のサブ光スポットＳｓ２が外周側の半分を信号トラックｎに、内周側の半分を信号トラックｎと内周側の隣接信号トラック（ｎ−１）との間にそれぞれ投影されるように配置される。
【００２０】
光学ヘッド１はメインビーム及び各サブビームがディスクにより反射される各反射光を受光する光検出器を備え、この光検出器は、図２に示す如く、前記メインビーム及び前記各サブビームの各反射光をそれぞれ受光するメイン受光領域A及び一対のサブ受光領域B，Cを備えている。
【００２１】
前記メイン受光領域A及び一対のサブ受光領域B，Cは、ディスクの信号トラックの方向に対応する方向の分割線により少なくともそれぞれ２分割されており、その分割された前記メイン受光領域A及び一対のサブ受光領域B，Cの各分割領域はそれぞれ受光量に対応した受光出力を発生する。
【００２２】
２は前記光学ヘッド１の光検出器の所定の受光領域から発生される受光出力を用いてディスクに記録されたデータ信号のＨＦ信号（高周波信号）を生成し、増幅して２値化すると共に、光学ヘッド１からのメインビームとディスクの信号面とのフォーカスエラー信号、及び光学ヘッド１からのメインビームとディスクの信号トラックとのトラッキングエラー信号を生成するヘッドアンプ、３は前記フォーカスエラー信号に応じてメインビームをディスクの信号面に合焦させるフォーカス制御、及び前記トラッキングエラー信号に応じてメインビームをディスクの信号トラックに追従させるトラッキング制御を行うと共に、光学ヘッド１自体をディスクの径方向に送るスレッド送り制御を行うヘッドサーボ回路である。
【００２３】
４はヘッドアンプ２から出力されるＨＦ信号の２値化データをビットクロックに同期して復調処理を行うデコーダである。該デコーダ４は、入力されるＨＦ信号の２値化データからＣＤ規格上の変調コードであるＥＦＭ（Eight to Fourteen Modulation）に応じてＥＦＭ復調すると共に、データ構造に応じて各種データを復調する。
【００２４】
５は接続端子６を介して接続されるパソコン等の上位機器とのデータの受け渡しを制御するインタフェース、７は該インタフェース５を介して入力される入力データをディスクに記録するデータ構造にエンコード処理すると共に、ＣＤ規格の変調コードに対応するＥＦＭ信号に変調するエンコーダである。
【００２５】
８はインタフェース５により入力される入力データをキャッシュし、エンコーダ７によってディスクに記録する記録データに変調処理する際に使用されると共に、ディスクから読み取ったデータをキャッシュし、デコーダ４によってそのデータを復調処理する際に使用されるバッファＲＡＭである。
【００２６】
９は前記エンコーダ７から出力されるＥＦＭデータに基づいて光学ヘッド１から発生させるレーザービームを制御する制御出力を発生するヘッド出力制御回路、１０は該ヘッド出力制御回路９からの制御出力に応じてディスクへの記録を行うべく光学ヘッド１のレーザー光源を駆動するレーザー駆動回路である。
【００２７】
１１は時間的に後方（メインビームよりディスクの内周側）のサブビームにより得られるＨＦ信号（詳細は後述する）を光学ヘッドの発光出力が記録マークを形成する記録レベルと記録マークを形成しない記録休止レベル、この実施例では再生レベルとのレベル差を解消するべくレベル調整するレベル調整回路、１２は該レベル調整回路１１を介して得られるレベル調整後のＨＦ信号を光学ヘッドの発光出力が記録レベルになる記録レベル期間と光学ヘッドの発光出力が再生レベルになる再生レベル期間とでそれぞれ切り換えられて選択的に後段に供給する選択回路である。
【００２８】
前記レベル調整回路１１は、ヘッド出力制御回路９から出力されるＥＦＭ記録信号に応じて光学ヘッドの発光出力の記録レベル期間と再生レベル期間とで選択する入力信号経路を切り換える。
【００２９】
１３は該選択回路１２を介して得られるＨＦ信号のピーク値とボトム値とを検出し、それらの値からβ値を検出するβ値検出回路である。該β値検出回路１３は、検出されるβ値に基づいてヘッド出力制御回路９を制御して記録時における光学ヘッド１による発光出力を設定する。
【００３０】
１４は選択回路１２を介して得られるＨＦ信号からジッタ成分を抽出し、そのジッタ成分の時間幅を検出してジッタ量を検出するジッタ量検出回路である。このジッタ量検出回路１４はＰＬＬ回路によりＨＦ信号から再生されるクロックと基準クロックとの位相差出力によりジッタ成分を抽出し、その位相差出力のパルス幅によりジッタ量を検出する。
【００３１】
１５はプッシュプル法によりヘッドアンプ２により生成されるプッシュプル信号からディスクのプリグルーブ（Pre-groove）に含まれる22.05kHzのウォブル（wobble）信号を復調すると共に、ウォブル信号から時間情報アドレスのＡＴＩＰ（Absolute Time In Pre-groove）アドレスを復調するウォブルデコーダである。
【００３２】
１６はディスクを回転駆動するスピンドルモータ、１７は該スピンドルモータ１６を駆動するモータ駆動回路、１８は該モータ駆動回路１７を制御するモータ制御回路である。該モータ制御回路１８は、ディスクに記録されたデータ信号から抽出される同期信号及び再生クロックを用いて、あるいはウォブルデコーダ１５により復調されるウォブル信号を用いて線速度一定方式で回転制御することが出来ると共に、スピンドルモータ１６の回転に応じてパルス信号を発生する周波数発生器（ＦＧ）１９からのパルス信号を用いて角速度一定方式で回転制御可能となっている。
【００３３】
２０は接続端子６に接続される上位機器により要求される記録速度及び再生速度に基づいてモータ制御回路１８を制御してディスクの回転速度を設定する速度設定回路である。この速度設定回路２０によりディスクの回転速度が設定されると、再生処理及び記録処理を行う各回路の動作クロックがディスクの回転速度に基づいて変化すると共に、ヘッドサーボ及びヘッド出力もディスクの回転速度に応じて制御され、設定されるディスクの回転速度に応じた再生処理及び記録処理が行われるようになる。
【００３４】
記録時において該速度設定回路２０によりディスクの回転速度が設定されると、エンコーダ７及びヘッド出力制御回路９の動作がその回転速度に応じて切り換えられる。
【００３５】
まず始めに、本発明に要旨に関係するトラッキングエラー信号及びＨＦ信号の生成について、図２を用いて詳細に説明する。尚、フォーカス制御に非点収差法を使用する場合においては、少なくとも光検出器のメイン受光領域Aを十字状に４分割するが、フォーカスエラー信号の生成に関しては説明を省略するので、説明を簡単にするため、図２の如く示す。
【００３６】
光検出器のメイン受光領域Aの各分割領域はそれぞれ受光出力ａ１及びａ２を発生し、サブ受光領域Bの各分割領域はそれぞれ受光出力ｂ１及びｂ２を発生し、サブ受光領域C の各分割領域はそれぞれ受光出力ｃ１及びｃ２を発生する。
【００３７】
メイン受光領域Aの各分割領域から発生されるそれぞれの受光出力ａ１及びａ２は第１差動アンプ２１によりその受光出力ａ１及びａ２の差分出力（ａ１−ａ２）が得られ、サブ受光領域Bの各分割領域から発生されるそれぞれの受光出力ｂ１及びｂ２は第２差動アンプ２２によりその受光出力ｂ１及びｂ２の差分出力（ｂ１−ｂ２）が得られ、サブ受光領域Cの各分割領域から発生されるそれぞれの受光出力ｃ１及びｃ２は第３差動アンプ２３によりその受光出力ｃ１及びｃ２の差分出力（ｃ１−ｃ２）が得られる。
【００３８】
第２差動アンプ２２による差分出力（ｂ１−ｂ２）と第３差動アンプ２３による差分出力（ｃ１−ｃ２）とは、互いの出力レベルを合わせるべく一方の差動アンプ、この場合第３差動アンプ２３の差分出力（ｃ１−ｃ２）がレベル調整アンプ２４によるゲインｇ１によりレベル調整されて、その後、加算器２５により加算される。この加算器２５により得られる第２差動アンプ２２による差分出力（ｂ１−ｂ２）とレベル調整された第３差動アンプ２３の差分出力ｇ１（ｃ１−ｃ２）とを加算した加算出力（ｂ１−ｂ２）＋ｇ１（ｃ１−ｃ２）は、更にレベル調整アンプ２６によるゲインｇ２によりレベル調整されて第１差動アンプ２１による差分出力（ａ１−ａ２）とのレベル調整が行われた後、第４差動アンプ２７に入力される。
【００３９】
その為、この第４差動アンプ２７は、レベル調整アンプ２６によりレベル調整した加算器２５による加算出力ｇ２（（ｂ１−ｂ２）＋ｇ１（ｃ１−ｃ２））と第１差動アンプ２１による差分出力（ａ１−ａ２）との差分出力｛（ａ１−ａ２）−ｇ２（（ｂ１−ｂ２）＋ｇ１（ｃ１−ｃ２））｝を発生する。
【００４０】
この第４差動アンプ２７からの出力信号は、光学ヘッド１からのメインビームとディスクの信号トラックとのズレ量及びズレ方向に応じてそれぞれ出力レベル及び極性が変化するトラッキング誤差に対応したトラッキングエラー信号（ＴＥ信号）となる。
【００４１】
この場合、図２に示す各光スポットの配置にすると、トラッキングエラー信号がサブ光スポットＳｓ１，Ｓｓ２をそれぞれ信号トラック間の中央に配置した場合に得られるトラッキングエラー信号の最大感度の半分程度となることが確認されているが、メインビームのトラッキング制御を差し支えなく行うことが出来る。
【００４２】
次に、ディスクの信号トラックに記録された記録信号を光学ヘッド１によって読み取ったＨＦ信号（高周波信号）の抽出について説明する。
【００４３】
メイン受光領域Aの各分割領域から出力される各受光出力ａ１及びａ２は、加算アンプ２８により加算出力（ａ１＋ａ２）が得られる。
【００４４】
この加算アンプ２８による加算出力（ａ１＋ａ２）はメインスポットＳｍ全域におけるメインビームの反射光となるので、前記加算アンプ２８による加算出力（ａ１＋ａ２）は信号トラックに記録された記録信号に対応するＨＦ信号であり、このＨＦ信号はメインＨＦアンプ２９により増幅されて後段に設けられるデコーダ４により信号再生される。
【００４５】
一方、メインビームより時間的に後方のサブビームに対応するサブ光スポットＳｓ２は、ディスクの外周側の略半分が信号トラックｎに照射され、この信号トラックｎに照射するサブスポットＳｓ２の半分側に対応するサブ受光領域Cの一方の分割領域から発生される受光出力ｃ２が演算されずにそのまま第１サブＨＦアンプ３０及び第２サブＨＦアンプ３１に導かれるようになっている。
【００４６】
メインビームより時間的に後方のサブビームの反射光にはメインビームにより記録された記録信号成分、この場合は信号トラックｎの記録信号成分が含まれているので、前記サブ受光領域Cの一方の分割領域から発生される受光出力ｃ２は信号トラックｎの記録信号に対応するＨＦ信号である。その為、第１及び第２サブＨＦアンプ３０及び３１には、メインビームが照射される位置より時間的に後方の位置からの信号トラックｎの記録信号に対応するＨＦ信号が入力される。
【００４７】
前記第１及び第２サブＨＦアンプ３０及び３１によりそれぞれ増幅されたＨＦ信号は、選択回路１２によりそれぞれ光学ヘッド１の発光出力の記録レベル期間及び光学ヘッド１の発光出力の再生レベル期間に選択されて後段に供給される。
【００４８】
すなわち、光学ヘッド１の発光出力の記録レベル期間に選択される第１サブＨＦアンプ３０に入力されるＨＦ信号は、その光学ヘッド１の発光出力が記録レベルになっている期間に得られる受光出力ｃ２であり、一方、光学ヘッド１の発光出力の再生レベル期間に選択される第２サブＨＦアンプ３１に入力されるＨＦ信号は、その光学ヘッド１の発光出力が再生レベルになっている期間に得られる受光出力ｃ２である。
【００４９】
そして、前記第１及び第２サブＨＦアンプ３０及び３１は、光学ヘッド１の発光出力が記録レベルと再生レベルとに変化した際に前記第１及び第２サブＨＦアンプ３０及び３１からそれぞれ出力されるＨＦ信号のレベル差を解消するべくそれぞれのゲインが設定されている。
【００５０】
その為、選択回路１２からは、光学ヘッド１の発光出力の記録レベル期間及び再生レベル期間に得られる受光出力ｃ２のレベル差が解消されたＨＦ信号が出力され、ディスクに記録されたデータ信号に応じた正しいレベルのＨＦ信号が得られる。
【００５１】
したがって、選択回路１２からは、メインビームで記録されたデータ信号を後方のサブビームにより読み取ったＨＦ信号が得られる。
【００５２】
ところで、先に述べた如く、メインビームのオントラック状態において、サブスポットＳｓ２は外周側の半分が信号トラックｎ上に配置されているので、サブ受光領域Cの一方の分割領域における受光出力ｃ２から振幅が最大となるＨＦ信号が得られ、逆に、サブスポットＳｓ２の位置を設定する際に、前記受光出力ｃ２の振幅を監視して、その振幅が最大となるように設定している。
【００５３】
尚、各サブビームの角度を変えてメインビームのオントラック状態において、サブ光スポットＳｓ２を、その光スポットＳｓ２の内周側の半分が内周側に隣接する信号トラック（ｎ−１）に配置されるようにし、サブ受光領域Cにおける分割領域からの受光出力ｃ１によって内周側に隣接する信号トラック（ｎ−１）のＨＦ信号を読み取るようにすることも可能である。
【００５４】
次に、図１のように構成される光ディスク記録装置の記録動作について説明する。
【００５５】
接続端子６に接続される上位機器によりディスクへの記録が要求されると、その要求に応じて記録動作が行われるべく各回路が制御される。この場合、モータ制御回路１８は速度設定回路２０により要求される記録速度に対応する回転速度でディスクを駆動するべくモータ駆動回路１７を制御する。
【００５６】
ディスクへの記録が開始される前に、設定された記録速度において、光学ヘッド１の発光出力は再生した際の誤り率が最少となる記録データが記録されるべくディスクに最適な記録が行える最適記録レベルに設定される。この最適記録レベルの設定は、ディスクの最内周に設けられるキャリブレーションエリアに発光出力を段階的に変化させて試し書きすることにより行われる。
【００５７】
接続端子６に接続される上位機器から記録を要求するデータが送信されると、そのデータはインタフェース５により受信され、バッファＲＡＭ８に書き込まれる。
【００５８】
バッファＲＡＭ８に書き込まれたデータの備蓄量がエンコーダ７によりエンコード処理を開始するデータ容量に達すると、バッファＲＡＭ８からデータが読み出され、エンコーダ７によりＥＦＭフレーム単位でディスクに記録するべき形態のＥＦＭ信号に変調される。
【００５９】
ヘッド出力制御回路９はエンコーダ７から出力されるＥＦＭ信号をβ値検出回路１３により検出されるβ値に応じて最適な記録レベルでディスク記録が行えるように変換したＥＦＭ記録信号を発生する。このＥＦＭ記録信号はディスクに記録マークを形成する記録レベルの「Ｈ」信号と記録マークを形成しない記録休止レベル、この実施例では再生レベルの「Ｌ」信号とにより構成され、レーザー駆動回路１０はこのＥＦＭ記録信号に応じて光学ヘッド１のレーザー光源を駆動し、これによりＥＦＭ記録信号に応じて記録マークが形成されてディスクへの記録が行われる。
【００６０】
ところで、光学ヘッド１から出射される発光出力はヘッド出力制御回路９によりディスクの記録に最適な最適記録レベルに設定され、その設定はβ値検出回路１３により検出されるβ値に基づいて行われる。
【００６１】
前記β値検出回路１３はディスク記録開始時においてはメインビームから読み取られるＨＦ信号を用いてβ値を検出し、ディスクのプログラムエリアへの実記録時においては後方のサブビームから読み取られるＨＦ信号を用いてβ値を検出する。
【００６２】
ディスクのプログラムエリアへの実記録時においては、ディスクに記録するＥＦＭ記録信号に応じて光学ヘッド１の発光出力を変化させるために後方のサブビームのレーザー光量もそのＥＦＭ記録信号に応じて変化する。その為、単に後方のサブビームの反射光量をそのサブビームに対応する受光領域から取り出すだけでは正しくＨＦ信号を得ることが出来ない。
【００６３】
このような状態で、後方のサブビームでディスクから正しくＨＦ信号を得るために、本発明においてはディスク記録時における光学ヘッド１の発光出力が記録レベル及び再生レベルとに変化した際にそれぞれの期間のＨＦ信号のレベル差をレベル調整回路１１により解消している。
【００６４】
したがって、ディスクのプログラムエリアにおける記録時に、メインビームにより実際に記録されたＥＦＭ記録信号から読み取られるＨＦ信号に基づいたβ値に応じてヘッド出力制御回路９により光学ヘッド１から出射される発光出力が設定され、その設定がディスクの記録に最適な最適記録レベルとなる。
【００６５】
ところで、選択回路１２により選択されたＨＦ信号はジッタ量検出回路１４にも供給され、このジッタ量検出回路１４はディスクのプログラムエリアへの実記録時に後方のサブビームから読み取られるＨＦ信号のジッタ量を検出する。
【００６６】
ジッタ量検出回路１４により検出されたジッタ量が許容範囲に収まらない状態が発生すると、記録したＥＦＭ記録信号がディスクから正しく読み取れずに記録の失敗に結びつくとの判断の基に記録速度を下げるべく速度設定回路２０によりディスクの回転速度を下げる。このディスク回転の低下はリニアに変化する連続的でも良いし、用意された回転速度内で一段階ずつ下げる段階的でも良い。
【００６７】
このようにして記録速度が下げられると、ディスクの回転速度の低下に伴って記録マークに対するジッタ成分の割合が減り、やがて、ジッタ量検出回路１４により検出されるジッタ量が許容範囲に収まる記録速度となり、この記録速度により記録が継続して行われる。
【００６８】
ところで、本実施例において、記録速度は最高速が角速度一定のディスク回転方式を採用し、最高速より低速が線速度一定のディスク回転方式を採用している。
【００６９】
そして、ＣＤ方式に規定のディスク回転方式は線速度一定であり、その線速度一定のディスク回転方式により記録を行うことが回路的に無理なく処理できる。これは角速度一定の代わりにゾーン線速度一定のディスク回転方式を採用した場合も同様である。
【００７０】
その為、角速度一定のディスク回転方式により記録を行っている際に、検出されるジッタ量があらかじめ設定した許容範囲外であることが検出されたとき線速度一定のディスク回転方式に切り換わって記録が行われ、これにより記録動作の条件が変化することと記録速度が遅くなることとが相俟ってディスクに記録されるデータ信号のジッタ量が減少される。
【００７１】
また、線速度一定のディスク回転方式により記録を行っている際に、検出されるジッタ量があらかじめ設定した許容範囲外であることが検出されたときディスク回転方式の切り換えではなく、線速度一定でより遅い記録速度に移行して記録が行われ、これによりディスクに記録されるデータ信号のジッタ量が減少される。
【００７２】
尚、前述の実施例においては、ＨＦ信号を読み取るサブビームとして回折光の±１次ビームとしているが、ビーム光量は減るが回折光の±２次以降のビームとしても良く、この場合、±１次ビームをトラッキング制御を優先した配置とすることが出来、良質なトラッキングエラー信号を得ることが出来る。
【００７３】
【発明の効果】
以上のとおり、本発明は、記録レベル期間と記録休止レベル期間とでそれぞれレベル調整回路を構成する第１アンプ及び第２アンプからの出力を選択回路により切り換えて選択することにより光学ヘッドの発光出力のレベル差を記録レベルと記録休止レベルとで解消しているので、ディスクの記録時に、サブビームによりメインビームで記録されたデータ信号を読み取ることが出来ると共に、記録レベル期間と記録休止レベル期間との切り換え時の過渡特性が良好で、記録レベルと記録休止レベルとにおけるレベル差の解消が確実となる。
【００７６】
また、直前に実際に記録されたデータ信号のジッタ量を検出し、この検出されたジッタ量に基づいて記録速度を切り換えるようにしているので、ジッタ量が多すぎて再生不可の品質でしか記録が出来ない高速回転の記録が設定された場合において、ジッタ量が許容範囲内になる記録速度に自動的に切り換えられて記録を続行することが出来る。
【００７７】
この場合、記録速度を徐徐に落としながら所定の記録品位になるのを確認してその記録品位が確保される所定の記録速度でディスク記録を継続出来る。
【００７８】
また、差動プッシュプル法に対応した光学ヘッドの光検出器においては、回折光の±１次ビームに対応するサブ受光領域が信号トラック方向に２分割されているが、メインビームに対応する光スポットがオントラック状態において後方のサブビームに対応する光スポットの半分が隣接する信号トラックに配置されるようにすることによりサブ受光領域の一方の分割領域から良質なデータ信号を得ることが出来る。
【図面の簡単な説明】
【図１】本発明に係る光ディスク記録装置の光学ヘッド発光出力制御方法を実現したＣＤ−Ｒ／ＲＷドライブの一実施例を示す回路ブロック図である。
【図２】光学ヘッド１の各ビームから各種信号を取り出す部分の詳細を示す回路図である。
【符号の説明】
１          光学ヘッド
２          ヘッドアンプ
４          デコーダ
７          エンコーダ
９          ヘッド出力制御回路
１１          レベル調整回路
１２          選択回路
１３          β値検出回路
１４          ジッタ量検出回路
１８          モータ制御回路
２０          速度設定回路
３０          第１サブＨＦアンプ（第１アンプ）
３１          第２サブＨＦアンプ（第２アンプ）
【図１】
0003738209.tif 000002
【図２】
0003738209.tif 000003